(57)【特許請求の範囲】
【請求項１】
反吊元側に配置された枠材を具備するドア本体に、ドアノブやラッチ爪等をケーシングに装着してなるドアロック装置を取り付けるためのものであって、前記枠材に重ね合わせるようにして固定した支持部材と、この支持部材の両端部から吊元側に向かってそれぞれ一体に延ばしてなる一対の補強部材とを具備する取付構造体を設け、この取付構造体を構成する前記支持部材にドアロック装置を取り付けるようにし、
枠材が、巾板とこの巾板の両側縁を折り曲げてなる一対の対向板とを具備し、これら一対の対向板を、ドア本体を構成する表裏パネルの内面にそれぞれ沿わせてなる吊元側に開口したチャネル状のものであって、前記支持部材を、支持板とこの支持板の両側縁を折り曲げてなる一対の添接板とを具備した吊元側に開口するチャネル状のものとし、各添接板を、前記枠材の対向板の内面にそれぞれ密着固定し、
支持部材を構成する支持板に、ケーシングを挿入させ得る挿入孔を設けるとともに、ケーシングに設けられたフランジ板を前記支持板に固定するようにしており、
枠材を構成する巾板に長手方向に沿って延びる外方に突出させた突条を設け、この突条の巾板からの突出寸法を、フランジ板の厚み寸法と同一又は略同一に設定するとともに、前記巾板におけるドアロック装置の取付部分に対応する部位に、この突条を切り欠くようにしてフランジ板挿入孔を形成しているドアロック装置の取付構造。
【請求項２】
取付構造体が、一枚の鋼板を折り曲げることにより、支持部材の両端部からそれぞれ補強部材を一体に延ばして概略コの字形をなすように形成したものである請求項１記載のドアロックの取付構造。
【請求項３】
ドア本体を構成する表裏パネルの反吊元側側縁部をそれぞれ内方に折り曲げて折り曲げ部を形成するとともに、枠材の外側から挟み込むように各パネルを配置し、前記折り曲げ部の端面と突条の先端面とが面一になるように構成し、これらによりドア本体の反吊元側端面が形成されるようにしている請求項１または２記載のドアロック装置の取付構造。
【請求項４】
補強部材が、チャネル状のものであり、その両側縁部を形成する各添接板の外面がそれぞれドア本体を構成する表裏パネルの内面に沿うように設定している請求項１、２または３記載のドアロック装置の取付構造。
【発明の詳細な説明】
【０００１】
【発明の属する技術分野】
本発明は、ドアロック装置の取付構造に関し、より詳しくは、例えばパーティション・パネルなどに使用されるドアにおけるドアロック装置の取付構造に関するものである。
【０００２】
【従来の技術】
パーティション・パネルなどには、板状をなすペーパーハニカムをコアとし、このハニカムコアとチャネル状をなす枠材とを、薄板鋼板などで構成される表裏パネルによって挟み込んだ上で、化粧部材を枠材にタッピングビス等で組み付け固定してなるドアが従来使用されている。かかる構成は、この種のドアがパーティション・パネルなどに使用される関係上、安定性等の点から重量をあまり大きくすることができないことに鑑みられたものである。
【０００３】
一方、このようなドアに、ドアノブやラッチ爪、施錠機構等を設ける場合には、これらをケーシングに一体的に装着してなるドアロック装置を、ドア本体の反吊元側に取り付けるようにしている。具体的にこのドアロック装置は、ラッチ爪や施錠機構等を内蔵したケーシングと、ドア本体を外側から厚み方向に挟み込むようにして前記ケーシングに固定されるノブ支持部材と、このノブ支持部材を介して前記ケーシングに取り付けられるドアノブとを具備するものである。
【０００４】
そして、このドアロック装置をドア本体に取り付けるには、反吊元側に配置されている枠材に、装置本体を挿入させ得る開口部を設けるとともに、一対の装置取付用台座をこの開口部の上下端部にそれぞれ溶接し、これら台座に装置本体に設けた取付用フランジ板をねじ止めするようにしている。また、これら台座とは別体をなす一対の補強部材を、開口部上下端付近から吊元側に向かって延びるように枠材に溶接し、これら各補強部材が装着したドアロック装置をはさんで対向する位置に配置されるようにしている。これら補強部材は、ノブ支持部材を組み付ける場合に、その締め付け作業によりパネルが厚み方向に凹むのを防止するためのものである。
【０００５】
【発明が解決しようとする課題】
ところが、このような構造であると、一対の台座と一対の補強材を、枠材にそれぞれ溶接しなければならず、施工に手間がかかるうえ製作コストが嵩むという不具合がある。さらに、ノブ支持部材の締め付け作業により、パネルが厚み方向に凹むことを考えた場合、それを防止する役割は、主として上下の補強部材及び枠材が担うことになるが、例えばその機能を向上させるべく、枠材に厚いものを用いた場合に、ドア全体として大きな重量増加を招くことになり、前記軽量化の趣旨にそぐわないものとなってしまう。
【０００６】
【課題を解決するための手段】
そこで本発明は、このような点を一挙に解決すべく、前記一対の台座を連続一体化して支持部材とするとともに、この支持部材の両端部に一対の補強材をそれぞれ一体的に設けることにより、これら台座及び補強材を１ユニット化したうえで、その支持部材を枠材に重ね合わせるようにして固定したものである。
【０００７】
【発明の実施の形態】
すなわち、本発明にかかるドアロック装置の取付構造は、反吊元側に配置された枠材を具備するドア本体に、ドアノブやラッチ爪等をケーシングに装着してなるドアロック装置を取り付けるためのものであって、前記枠材に重ね合わせるようにして固定した支持部材と、この支持部材の両端部から吊元側に向かってそれぞれ一体に延ばしてなる一対の補強部材とを具備する取付構造体を設け、この取付構造体を構成する前記支持部材にドアロック装置を取り付けるようにしたことを特徴とする。
【０００８】
このようなものであれば、従来別々に枠材に固定する必要のあった補強材や支持部材（台座）が、取付構造体として１ユニット化されるので、枠材への取付を一工程で行うことができるようになり、工程簡単化に大きく寄与できることとなる。さらに、ドアロック装置の取付部位に対応する枠材の所定部位は、その部位全長に亘って支持部材が添え設けられて二重化されるため、ノブ支持部材の締め付け作業によるパネルの凹み防止を、枠材を厚くすることなく、すなわち重量増加を招くことなく実現することができる。さらにこのような二重構造により、ドアロック装置のドア本体に対する取付強度も向上させることが可能になる。
【０００９】
製造簡単化等、種々の効果を得るためには、取付構造体が、一枚の鋼板を折り曲げることにより、支持部材の両端部からそれぞれ補強部材を延ばして概略コの字形をなすように形成したものであることが望ましい。
【００１０】
枠材と支持部材とを強固に固定し、その二重化部分での構造的な強度を向上させるための具体的実施態様としては、枠材が、巾板とこの巾板の両側縁を折り曲げてなる一対の対向板とを具備し、これら一対の対向板を、ドア本体を構成する表裏パネルの内面にそれぞれ沿わせてなる吊元側に開口したチャネル状のものであって、前記支持部材を、支持板とこの支持板の両側縁を折り曲げてなる一対の添接板とを具備した吊元側に開口するチャネル状のものとし、各添接板を、前記枠材の対向板の内面にそれぞれ密着固定するようにしたものを挙げることができる。
【００１１】
支持部材に対するドアロック装置の具体的取付態様としては、支持部材を構成する支持板に、ケーシングを挿入させ得る挿入孔を設けるとともに、ケーシングに設けられたフランジ板を前記支持板に固定するようにしたものを挙げることができる。
【００１２】
枠材の強度を、重量増加を招くことなく増大させるとともに、その構造を利用してドアロック装置を取り付けた際の外観を良好なものとするには、枠材を構成する巾板に長手方向に沿って延びる外方に突出させた突条を設け、この突条の巾板からの突出寸法を、フランジ板の厚み寸法と同一又は略同一に設定するとともに、前記巾板におけるドアロック装置の取付部分に対応する部位に、この突条を切り欠くようにしてフランジ板挿入孔を形成しているものが好適である。
【００１３】
上述した枠材の構造を有効に利用して、ドア本体の反吊元側端面を形成するための具体的実施態様としては、表裏パネルの反吊元側側縁部をそれぞれ内方に折り曲げて折り曲げ部を形成するとともに、この折り曲げ部の端面と突条の先端面とが面一になるように構成し、これらによりドア本体の反吊元側端面が形成されるようにしているものを挙げることができる。
【００１４】
補強部材の具体的実施態様としては、補強部材が、チャネル状のものであり、その両側縁部を形成する各対向板の外面がそれぞれドア本体を構成する表裏パネルの内面に沿うように設定しているものを挙げることができる。
【００１５】
【実施例】
以下、本発明の一実施例について図面を参照して説明する。
【００１６】
図１は、この実施例におけるドア１の斜視図であって、ドア１の上側面部分を省略した図である。
【００１７】
このドア１００は、例えばパーティションパネルに用いられるものであって、図１に示すように、コアとなるペーパーハニカム１２の表裏に、薄板鋼板で構成される二枚のパネル１１を貼り付けてなるドア本体１と、このドア本体１の吊元側に適宜距離をおいて設けた上下二つの蝶番３と、ドア本体１の反吊元側に設けられドアノブ４１や施錠機構４３等をケーシング４４に装着してなるドアロック装置４と、ドア本体１の吊元側上方片隅に設けられたドアチェック５と、窓枠６とを具備してなるものである。
【００１８】
ここで、このドア本体１について説明を若干加えておくと、このドア本体１を構成する各パネル１１は、面板部１１ａと、その面板部１１ａの周縁を１乃至複数回直角に折り曲げて形成した折り曲げ部１１ｂとからなるもので、一面を開口した中空平板状をなす。そしてパネル１１同士を、各開口面が向き合うようにして配置し、その折り曲げ部１１ｂの外方端面がドア本体１の端面を形成するように構成してある。また本実施例では、図１、図２等に示すように、ドア本体１の反吊元側の上端から下端に亘って、平板状をなす巾板７１とこの巾板７１の両側縁部を折り曲げて形成した一対の対向板７２とからなるチャネル状をなす縦枠材７を設けている。この縦枠材７は、その巾板７１に長手方向に沿って延びる外方に突出した突条７３を設けてなるもので、図５に示すように、表裏各パネル１１の反吊元側縁部に形成した折り曲げ部１１ｂの端面１１ｃと突条７３の先端面７３ａとが面一となるように構成し、これら折り曲げ部１１ｂの端面１１ｃと突条７３の先端面７３ａとにより、ドア本体１の反吊元側の端面１ａが形成されるようにしてある。
【００１９】
そして、ドア本体１を構成するペーパハニカム１２を部分的に欠損させて、その欠損部分にドアチェック５を取り付けるためのチェック取付部材５１や、窓枠６を取り付けるための窓枠取付部材（図示しない）、あるいはドアロック装置４を取り付けるための取付構造体８等を配置している。
【００２０】
このドアロック装置４は、図２、図３、図６に示すように、ラッチ爪４２や施錠機構４３等を内蔵するケーシング４４と、このケーシング４４に一体に設けられた固定用フランジ板４５と、ドア本体１を外側から厚み方向に挟み込むようにして前記ケーシング４４に固定されるノブ支持部材４６と、このノブ支持部材４６を介して前記ケーシング４４に取り付けられるドアノブ４１とを具備するものである。
【００２１】
しかして本実施例では、この取付構造体８を、図２、図３等に示すように、前記縦枠材７に内方から重ね合わせるようにして固定した支持部材８１と、この支持部材８１の上下両端部から吊元側に向かってそれぞれ一体に延ばしてなる一対の補強部材８２とを具備するものとし、この支持部材８１にドアロック装置４を取り付けるように構成している。なお、この取付構造体８は、縦枠材７やパネル１１より厚みのある一枚の鋼板を折り曲げることにより形成してある。
【００２２】
詳述すれば、支持部材８１は、ドアロック装置４を直接取り付けるための平板状支持板８１１とその両側縁部を折り曲げて形成した一対の添接板８１２とを具備するチャネル状のもので、図５に示すように、その支持板外面８１１ａが縦枠材７の巾板内面７１ａに、また各添接板外面８１２ａが縦枠材７の各対向板内面７２ａに密接するようにして、縦枠材７の所定位置に溶接固定してある。具体的に本実施例では、各添接板８１２と各対向板７２とをそれぞれ上下二カ所において溶接している。
【００２３】
補強部材８２は、図３等に示すように、互いに対向する一対の添接板８２１を具備したチャネル状をなすもので、従来例でも述べたようにドアノブ４１を取り付けるべく、ノブ支持部材４６を締めつける際に生じ得る前記表裏パネル１１の凹みを防止する役割を担う。本実施例では、図５に示すように、これら添接板８２１の外面８２１ａと縦枠材７の対向板７２との外面７２ｂとが面一になるように構成し、それぞれが表裏パネル１１の内面に面接触するように設定してある。
【００２４】
そして、前記支持板８１１にケーシング挿入孔Ｈ１を設けるとともに、前記巾板７１にフランジ板４５を挿入可能なフランジ板挿入孔Ｈ２を、前記ケーシング挿入孔Ｈ１に重合するように設けている。ケーシング挿入孔Ｈ１は、ケーシング４４の縦断面形状と略同一形状をなし、このケーシング４４を挿通させ得るものである。一方、フランジ板挿入孔Ｈ２は、フランジ板４５と略同一形状をなし、このフランジ板４５を挿通させ得るものであり、前記突条７３を切り欠くようにして形成してある。
【００２５】
このような構成において、ドアロック装置４は、これら挿入孔Ｈ１、Ｈ２を介して外側から取り付けられる。具体的には、ケーシング挿入孔Ｈ１を介してケーシング４４をドア本体１内部に挿入し、フランジ板４５をその上下端部において支持板８１１にねじ止めする。一方、図２、図４に示すように、この状態でフランジ板４５はフランジ板挿入孔Ｈ２にほぼ隙間なく嵌まり込んでいるが、本実施例では、突条７３の巾板７１からの突出寸法を、フランジ板４５の厚み寸法と略同一に設定するとともに、突条７３の幅寸法をフランジ板４５の幅寸法と略同一または若干小さくなるように設定しているので、フランジ板４５の外面４５ａが、突条７３の先端面７３ａと面一になるとともに、折り曲げ部１１ｂとの間にもほとんど隙間が空くことがない。なお、支持板８１１におけるケーシング挿入孔Ｈ１の上方及び下方には、エンボス加工による一対の突起ＰＴが設けてあり、フランジ板４５の外面４５ａとドア本体１の反吊元側端面１ａとの面一性を担保するとともに、ねじのゆるみ止め等の役割を果たすようにしている。
【００２６】
したがってこのように構成した本実施例によれば、従来別々に縦枠材７に固定する必要のあった補強材や支持部材（台座）が、取付構造体８として１ユニット化されるので、縦枠材７への取付を一工程で行うことができるようになり、工程簡単化に大きく寄与できることとなる。さらに、ドアロック装置４の取付部位に対応する縦枠材７の所定部位は、その部位全長に亘って支持部材８１が添え設けられて、特に厚み方向に二重化されるため、図６に示すように、ノブ支持部材４６の締め付け作業によるパネル１１の凹み防止を、縦枠材７を厚くすることなく、すなわち重量増加を招くことなく実現することができる。また、このような二重構造により、ドアロック装置４のドア本体１に対する取付強度も無理なく向上させることが可能になる。
【００２７】
さらに本実施例では、縦枠材７をチャネル状のものとし、さらにその巾板７１を屈曲させて突条７３を設けることにより、ドアロック装置４を支持する縦枠材７の強度を向上させ、ひいてはドアロック装置４の取付強度を向上させることができる。そしてさらに、その突条７３の幅や突出寸法を適宣設定することにより、パネル１１側に無用の加工を施すことなく、ドアロック装置４のフランジ板４５がドア本体１の反吊元側端面１ａに隙間なくかつ面一に埋め込まれるように構成しているので、ドア１００の外観向上や製造の簡単化を大きく促進させることができる。
【００２８】
なお、その他各部の具体的な構成は、上述した実施例に限定されるものではなく、本発明の趣旨を逸脱しない範囲で種々変形が可能である。
【００２９】
【発明の効果】
以上に詳述したように、本発明によれば、従来別々に枠材に固定する必要のあった補強材や支持部材（台座）が、取付構造体として１ユニット化されるので、枠材への取付を一工程で行うことができるようになり、工程簡単化に大きく寄与できることとなる。さらに、ドアロック装置の取付部位に対応する枠材の所定部位は、その部位全長に亘って支持部材が添え設けられて二重化されるため、ノブ支持部材の締め付け作業によるパネルの凹み防止を、枠材を厚くすることなく、すなわち重量増加を招くことなく実現することができる。また、このような二重構造により、ドアロック装置のドア本体に対する取付強度も向上させることが可能になる。
【００３０】
さらに、取付構造体が、一枚の鋼板を折り曲げることにより、支持部材の両端部からそれぞれ補強部材を延ばして概略コの字形をなすように形成したものであれば、製造簡単化等、種々の効果を奏し得る。
【００３１】
具体的には、枠材が、巾板とこの巾板の両側縁を折り曲げてなる一対の対向板とを具備し、これら一対の対向板を、ドア本体を構成する表裏パネルの内面にそれぞれ沿わせてなる吊元側に開口したチャネル状のものであって、前記支持部材を、支持板とこの支持板の両側縁を折り曲げてなる一対の添接板とを具備した吊元側に開口するチャネル状のものとし、各添接板を、前記枠材の対向板の内面にそれぞれ密着固定するようにしたものであれば、ドア本体の厚み方向に二重化されることになるので、ノブ支持部材の締め付け作業によるパネルの凹み防止を特に有効に防止できる。
【００３２】
支持部材を構成する支持板に、ケーシングを挿入させ得る挿入孔を設けるとともに、ケーシングに設けられたフランジ板を前記支持板に固定するようにしたものであれば、ドアロック装置を無理なく支持板に固定することができる。
【００３３】
枠材を構成する巾板に長手方向に沿って延びる外方に突出させた突条を設け、この突条の巾板からの突出寸法を、フランジ板の厚み寸法と同一又は略同一に設定するとともに、前記巾板におけるドアロック装置の取付部分に対応する部位に、この突条を切り欠くようにしてフランジ板挿入孔を形成したものであれば、ドアロック装置を支持する縦枠材の強度を向上させ、ひいてはドアロック装置の取付強度を向上させるとともに、パネル側に無用の加工を施すことなく、ドアロック装置のフランジ板がドア本体の反吊元側端面に隙間なくかつ面一に埋め込むことができ、ドア全体としての外観向上や製造の簡単化を大きく促進させることができる。
【００３４】
表裏パネルの反吊元側側縁部をそれぞれ内方に折り曲げて折り曲げ部を形成するとともに、この折り曲げ部の端面と突条の先端面とが面一になるように構成し、これらによりドア本体の反吊元側端面が形成されるようにしているものであれば、上述した枠材の構造を利用してドア本体の反吊元側端面を好適に形成することができる。
【図面の簡単な説明】
【図１】本発明の一実施例におけるドアを示す全体斜視図。
【図２】同実施例におけるドアロック装置を取り付けた状態を示す部分拡大図。
【図３】図２における分解斜視図。
【図４】同実施例におけるドアロック装置を取り付けた状態を示す部分側面図。
【図５】同実施例における取付構造体を主として示す平断面図。
【図６】同実施例におけるドアノブの取り付けを説明するための取付説明図。
【符号の説明】
１・・・ドア本体
１ａ・・・ドア本体の反吊元側端面
１１・・・パネル
１１ｂ・・・折り曲げ部
１１ｃ・・・折り曲げ部の端面
４・・・ドアロック装置
４１・・・ドアノブ
４２・・・ラッチ爪
４４・・・ケーシング
４５・・・フランジ板
７・・・枠材（縦枠材）
７１・・・巾板
７２・・・対向板
７３・・・突条
８・・・取付構造体
８１・・・支持部材
８１１・・・支持板
８２・・・補強部材
８１２、８２１・・・添接板
Ｈ１・・・ケーシング挿入孔
Ｈ２・・・フランジ板挿入孔
７３ａ・・・突条の先端面
【図１】
0003807196.tif 000002
【図２】
0003807196.tif 000003
【図３】
0003807196.tif 000004
【図４】
0003807196.tif 000005
【図５】
0003807196.tif 000006
【図６】
0003807196.tif 000007